Podtech/llm-jp-corpus-v4-ja_patent huggingface dataset:
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
チタン粉末とタングステン粉末の混合物から形成された、チタン（Ｔｉ）およびタングステン（Ｗ）を主に含むソース材料であって、過半量の前記チタン粉末の粒径が過半量の前記タングステン粉末の粒径以下である、ソース材料
を含む、ターゲット。
【請求項２】
前記ターゲットが、チタン（Ｔｉ）およびタングステン（Ｗ）から本質的に構成されているソース材料を含む、請求項１に記載のターゲット。
【請求項３】
前記チタン粉末の実質的にすべての前記粒径が前記タングステン粉末の実質的にすべての前記粒径以下である、請求項１に記載のターゲット。
【請求項４】
前記ターゲットが約９０質量パーセントのタングステン（Ｗ）および約１０質量パーセントのチタン（Ｔｉ）を含む、請求項１に記載のターゲット。
【請求項５】
前記ターゲットが少なくとも約９８パーセントの密度をさらに備える、請求項１に記載のターゲット。
【請求項６】
前記チタン粉末の平均粒径が約２０μｍ未満である、請求項１から５までのいずれか１項に記載のターゲット。
【請求項７】
前記タングステン粉末の平均粒径が約２０μｍ〜約４５μｍである、請求項６に記載のターゲット。
【請求項８】
前記チタン粉末の平均粒径および前記タングステン粉末の平均粒径がそれぞれ約２０μｍ〜約３０μｍである、請求項１から５までのいずれか１項に記載のターゲット。
【請求項９】
タングステン粉末とチタン粉末を混合して混合物を形成するステップであって、前記混合物中の過半量の前記チタン粉末の粒径が過半量の前記タングステン粉末の粒径以下である、ステップと、
前記混合物を圧縮するステップと、
前記混合物を加熱して前記ターゲットを形成するステップと、
を含む、チタン−タングステン（Ｔｉ−Ｗ）ターゲットを形成する方法。
【請求項１０】
前記ターゲットが約９０質量パーセントのタングステン（Ｗ）および約１０質量パーセントのチタン（Ｔｉ）を含む、請求項９に記載の方法。
【請求項１１】
前記ターゲットが少なくとも約９８パーセントの密度をさらに備える、請求項９に記載の方法。
【請求項１２】
前記チタン粉末の平均粒径が約２０μｍ未満である、請求項９から１１までのいずれか１項に記載の方法。
【請求項１３】
前記タングステン粉末の平均粒径が約２０μｍ〜約４５μｍである、請求項１２に記載の方法。
【請求項１４】
前記チタン粉末の平均粒径および前記タングステン粉末の平均粒径がそれぞれ約２０μｍ〜約３０μｍである、請求項９から１１までのいずれか１項に記載の方法。
【請求項１５】
ターゲットから小結節を除去する方法であって、
（ａ）前記ターゲットを不活性ガスにさらすステップであって、前記ターゲットがチタン粉末とタングステン粉末の混合物から形成された、チタン（Ｔｉ）およびタングステン（Ｗ）を主に含むソース材料を含み、過半量の前記チタン粉末の粒径が過半量の前記タングステン粉末の粒径以下である、ステップと、
（ｂ）前記不活性ガスを点火してプラズマを形成するために、第１の電力で、前記ターゲットにＤＣ電力を印加するステップと、
（ｃ）前記ターゲットから小結節を除去するために、前記ターゲットへの前記ＤＣ電力を第２の電力に増加させるステップと、
を含む方法。
【手続補正２】
【補正対象書類名】明細書
【補正対象項目名】００３０
【補正方法】変更
【補正の内容】
【００３０】
チャンバ本体１０４は、チャンバ本体１０４の処理容積、または第１の容積を取り囲むために、ならびに他のチャンバ部品を処理による損傷および／または汚染から保護するために処理キットシールド、またはシールド１３８をさらに含む。一部の実施形態では、シールド１３８は、チャンバ本体１０４の上側の接地されたエンクロージャ壁１１６の突起に接続された、接地されたシールドであってもよい。
【手続補正３】
【補正対象書類名】図面
【補正対象項目名】図１
【補正方法】変更
【補正の内容】
【図１】
2018508649.tif 000001
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
複数の溝パターンを含む光テープ表面を撮像するための溝モニタリングシステムであって、
光学センサと、
第１の光源とを備え、前記第１の光源は、第１の光ビームが前記光テープ表面から直接反射されて前記光学センサによって直接反射画像として撮像されるように、第１の入射角で前記光テープ表面に向けられる前記第１の光ビームを供給し、
第２の光源を備え、前記第２の光源は、第２の光ビームが前記光テープ表面から回折されて前記光学センサによって回折光画像として撮像されるように、前記第２の光ビームを第２の入射角で前記光テープ表面に向ける、溝モニタリングシステム。
【請求項２】
前記光テープ表面から反射および/または回折された光を収集するレンズシステムをさらに備える、請求項１に記載の溝モニタリングシステム。
【請求項３】
前記第１の光源および前記第２の光源は、各々独立した発光ダイオードである、請求項１または２に記載の溝モニタリングシステム。
【請求項４】
前記第１の光源および前記第２の光源は、各々独立して３００〜７００ナノメートルの平均波長を有する光を供給する、請求項１〜３のいずれかに記載の溝モニタリングシステム。
【請求項５】
前記第１の光源および前記第２の光源は、各々独立して単色または準単色の光を供給する、請求項１〜４のいずれかに記載の溝モニタリングシステム。
【請求項６】
前記第１の光源および前記第２の光源は、各々独立して３００〜７００ナノメートルの平均波長および約５０〜１００ナノメートルの標準偏差を有する光を供給する、請求項１〜５のいずれかに記載の溝モニタリングシステム。
【請求項７】
前記第１の光源および前記第２の光源が光を前記光テープ表面に向けるように、前記第１の光源および前記第２の光源の近くで光テープを保持するテープガイドをさらに備える、請求項１〜６のいずれかに記載の溝モニタリングシステム。
【請求項８】
前記光テープを前記第１の光源および前記第２の光源の前方で移動させるためのテープ駆動サブシステムをさらに備え、前記テープ駆動サブシステムは前記テープガイドにわたって光テープを移動させる、請求項７に記載の溝モニタリングシステム。
【請求項９】
前記第１の入射角で、前記第１の光源からの光を前記光テープ表面に反射するミラーをさらに備える、請求項１〜８のいずれかに記載の溝モニタリングシステム。
【請求項１０】
テープの縁のみが前記直接反射画像に現れるように、前記ミラーの上に設置されて前記ミラーの一部を遮る非反射マスクをさらに備える、請求項９に記載の溝モニタリングシステム。
【請求項１１】
前記光学センサはリニア光学センサアレイである、請求項１〜１０のいずれかに記載の溝モニタリングシステム。
【請求項１２】
θ２ｉｎを前記第２の入射角、θ２ｏｕｔを回折角、λを前記第２の光源の平均波長、Λをトラックピッチ、およびｎを回折次数としたとき、前記第２の入射角は式Ｉ
【数１】
2018508092.tif 000001
から求められる、請求項１〜１１のいずれかに記載の溝モニタリングシステム。
【請求項１３】
複数の溝パターンを含む光テープ表面を撮像するための溝モニタリングシステムであって、
リニア光学センサアレイと、
第１の発光ダイオードとを備え、前記第１の発光ダイオードは、第１の光ビームが直接前記光テープ表面から反射されて前記リニア光学センサアレイによって直接反射画像として撮像されるように、第１の入射角で前記光テープ表面に向けられる前記第１の光ビームを供給し、前記溝モニタリングシステムはさらに、
第２の発光ダイオードを備え、前記第２の発光ダイオードは、第２の光ビームが前記光テープ表面から回折されて前記リニア光学センサアレイによって回折光画像として撮像されるように、前記第２の光ビームを第２の入射角で前記光テープ表面に向け、前記溝モニタリングシステムはさらに、
前記第１の発光ダイオードおよび前記第２の発光ダイオードが光を前記光テープ表面に向けるように、前記第１の発光ダイオードおよび前記第２の発光ダイオードの近くで光テープを保持するテープガイドと、
光テープを前記第１の発光ダイオードおよび前記第２の発光ダイオードの前方で移動させるためのテープ駆動サブシステムとを備え、前記テープ駆動サブシステムは前記テープガイドにわたって前記光テープを移動させる、溝モニタリングシステム。
【請求項１４】
前記光テープ表面から反射および/または回折された光を収集するレンズシステムをさらに備える、請求項１３に記載の溝モニタリングシステム。
【請求項１５】
前記第１の発光ダイオードおよび前記第２の発光ダイオードは、各々独立して３００〜７００ナノメートルの平均波長を有する光を供給する、請求項１３または１４に記載の溝モニタリングシステム。
【請求項１６】
前記第１の発光ダイオードおよび前記第２の発光ダイオードは、各々独立して単色の光を供給する、請求項１３〜１５のいずれかに記載の溝モニタリングシステム。
【請求項１７】
前記第１の発光ダイオードおよび前記第２の発光ダイオードは、各々独立して３００〜７００ナノメートルの平均波長および約５０〜１００ナノメートルの標準偏差を有する光を供給する、請求項１３〜１６のいずれかに記載の溝モニタリングシステム。
【請求項１８】
複数の溝パターンを含む光テープ表面を撮像するための方法であって、
第１の光ビームを第１の入射角で前記光テープ表面に向けて、前記光テープ表面から直接反射された光を生成することと、
第２の光ビームを第２の入射角で前記光テープ表面に向けて、前記光テープ表面から回折された光を生成することと、
前記直接反射された光を直接反射画像として撮像することと、
前記回折された光を回折光画像として撮像することとを備える、方法。
【請求項１９】
前記第１の光ビームおよび前記第２の光ビームは、各々独立して３００〜７００ナノメートルの平均波長および約５０〜１００ナノメートルの標準偏差を有する、請求項１８に記載の方法。
【請求項２０】
前記直接反射された光および前記回折された光は、各々リニア光学センサアレイで撮像される、請求項１９に記載の方法。
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
方法であって、
体積内に投影するために光源から光ビームを供給すること、
前記光ビームに光パターンを適用するための１つ以上の所定の特性で前記光ビームを符号化すること、
前記光パターンで符号化された光ビームを前記体積内に投影すること、
前記体積で反射された前記光パターンの光を検出器で検出すること、
前記体積で反射された前記光パターンの検出光を解析すること、
前記体積内の物体によって反射された前記光パターンの検出光のコヒーレンス特性と、前記体積によって反射された前記光パターンの検出光のコヒーレンス特性との差を決定することによって前記物体によって反射された前記光パターンの検出光のコヒーレンス特性に従って前記体積内の物体を前記体積からセグメント化すること、
前記光源を調整して、前記物体によって反射された前記光パターンの検出光のコヒーレンス特性と同じコヒーレンス特性により前記体積内の他の物体を識別すること、
を備える方法。
【請求項２】
前記光パターンが複数のストライプを含む、請求項１に記載の方法。
【請求項３】
前記物体により反射された前記光パターンの検出光に基づいて前記物体の深さ情報を生成することをさらに備える請求項１に記載の方法。
【請求項４】
前記物体を関心物体として識別することをさらに備える請求項１に記載の方法。
【請求項５】
前記光パターンは、前記光ビームのプロファイルのコリメーション角、前記光ビームのプロファイルの強度、前記光ビームのプロファイルの均一性、前記光源のコヒーレンス、およびそれらの組み合わせからなる群から選択された光学特性を含む、請求項１に記載の方法。
【請求項６】
前記体積内の物体は、前記物体によって反射された前記光パターンの検出光の幅に基づいてセグメント化される、請求項１に記載の方法。
【請求項７】
前記体積内の物体は、前記物体によって反射された前記光パターンの検出光の強度プロファイルの変化に基づいてセグメント化される、請求項１に記載の方法。
【請求項８】
前記検出光の強度プロファイルの変化は、前記物体によって反射された前記光パターンの光の局所的な均一プロファイルの変化を含む、請求項７に記載の方法。
【請求項９】
前記検出光の強度プロファイルの変化は、前記物体によって反射された前記光パターンの光のスペックルの局所的な均一プロファイルの変化を含む、請求項７に記載の方法。
【請求項１０】
前記検出光の強度プロファイルの変化は、前記物体によって反射された前記光パターンの光の散光または迷光プロファイルの変化を含む、請求項７に記載の方法。
【請求項１１】
前記体積で反射された前記光パターンの光を検出器で検出することは、前記体積で反射された前記光パターンを偏光構造と追加の偏光構造に従って偏光して、前記体積で反射された光の複数の画像を生成することを含み、
前記体積内の物体を前記体積からセグメント化することは、
前記体積で反射され前記偏光構造を有する光の画像を、前記体積で反射され前記追加の偏光構造を有する光の画像から除去すること、
前記除去した画像から前記物体を抽出すること、
を含む、請求項１に記載の方法。
【請求項１２】
前記物体によって反射された前記光パターンの光の特徴を、前記体積内の追加の物体によって反射された前記光パターンの光の特徴と比較すること、
前記比較の結果に基づいて前記体積から前記追加の物体をセグメント化すること、
をさらに備える請求項１に記載の方法。
【請求項１３】
前記物体はユーザの顔であり、前記追加の物体は前記ユーザの手である、請求項１２に記載の方法。
【請求項１４】
装置であって、
光ビームを生成するように構成された光源と、
物体の物理的構造に応じて変化する所定の光学構造を前記光ビームに適用するように構成された少なくとも１つの光学素子と、
前記物体を含む体積で反射された前記光ビームの複数の画像を取得するように構成された検出器と、
前記物体を含む前記体積で反射された前記光ビームの前記所定の光学構造のコヒーレンス特性に対する、前記物体で反射された前記光ビームの前記所定の光学構造のコヒーレンス特性の少なくとも１つの差に基づいて、前記複数の画像から前記物体を抽出するとともに、前記光源を調整して、前記物体で反射された前記光ビームの前記所定の光学構造のコヒーレンス特性と同じコヒーレンス特性により前記体積内の他の物体を識別するように構成されたプロセッサと、
を備える装置。
【請求項１５】
前記光ビームに適用される前記所定の光学構造が光パターンを含む、請求項１４に記載の装置。
【請求項１６】
前記光ビームの前記所定の光学構造のコヒーレンス特性における差が、前記物体を含む体積で反射された前記所定の光学構造の幅に対する、前記物体で反射された前記所定の光学構造の幅の変化を含む、請求項１４に記載の装置。
【請求項１７】
前記光ビームの前記所定の光学構造のコヒーレンス特性における差が、前記物体を含む体積で反射された前記所定の光学構造のガウシアン断面強度プロファイルに対する、前記物体で反射された前記所定の光学構造のガウシアン断面強度プロファイルの変化を含む、請求項１４に記載の装置。
【請求項１８】
前記光ビームの前記所定の光学構造のコヒーレンス特性における差が、前記物体を含む体積で反射された前記所定の光学構造の局所的な均一プロファイルに対する、前記物体で反射された前記所定の光学構造の局所的な均一プロファイルの変化を含む、請求項１４に記載の装置。
【請求項１９】
前記光ビームの前記所定の光学構造のコヒーレンス特性における差が、前記物体を含む体積で反射された前記所定の光学構造のスペックルプロファイルに対する、前記物体で反射された前記所定の光学構造のスペックルプロファイルの変化を含む、請求項１４に記載の装置。
【請求項２０】
前記検出器の視野内に位置する偏光子をさらに備え、前記偏光子は、少なくとも２つの所定の偏光構造に従って、前記体積で反射された前記光ビームの光を偏光するように構成されている、請求項１５に記載の装置。
【請求項２１】
前記プロセッサは、偏光構造を有する前記物体の画像を、異なる偏光構造を有する前記物体の追加の画像から除去することによって、前記複数の画像から前記物体を抽出するようにさらに構成されている、請求項２０に記載の装置。
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
駆動および検知電極パッドのタッチ・センサ領域を生成することによりタッチ・センサへのルーティング・トレースの数を減らす方法において、異なる領域が、駆動および検知電極パッドにおける異なる配置を有し、当該方法が、
駆動ルーティング・トレースを通じて駆動電極パッドに送信される駆動信号を生成し、検知ルーティング・トレースを通じて複数の検知電極から検知信号を受け取るために、タッチ・センサのタッチ・センサ・コントローラを設けるステップと、
前記タッチ・センサにタッチ・センサ領域を形成するステップであって、隣接するタッチ・センサ領域が相互に干渉する電界を生成しないように、隣接するタッチ・センサ領域が、検知電極パッドおよび駆動電極パッドにおける異なる配置を有する、ステップと、
を含む、方法。
【請求項２】
請求項１記載の方法であって、更に、隣接するタッチ・センサ領域において前記タッチ・センサ・コントローラの１つの入力に送信される検知電極パッドを配置するステップを含む、方法。
【請求項３】
請求項１記載の方法であって、更に、隣接するタッチ・センサ領域において前記タッチ・センサ・コントローラの１つの入力に送信される同一の検知電極パッドを配置しないステップを含む、方法。
【請求項４】
請求項１記載の方法であって、更に、タッチ・センサ領域の多数のコピーを配置するステップであって、前記タッチ・センサ領域が、どの前記コピーも相互に隣接しない限り、前記タッチ・センサのタッチ・センサ領域における同一行に検知電極パッドおよび駆動電極パッドの特定配置を有する、ステップを含む、方法。
【請求項５】
請求項４記載の方法であって、更に、タッチ・センサ領域の多数のコピーを配置するステップであって、前記タッチ・センサ領域が、どの前記コピーも同一の列または同一の行において相互に隣接しない限り、前記タッチ・センサのタッチ・センサ領域における同一列に検知電極パッドおよび駆動電極パッドの特定配置を有する、ステップを含む、方法。
【請求項６】
請求項１記載の方法であって、更に、前記駆動電極パッドに駆動信号を送信するステップであって、前記駆動電極パッドが、第１タッチ・センサ領域において強い電界を生成することになると共に、前記第１タッチ・センサ領域および第２タッチ・センサ領域における前記駆動電極パッドの異なる配置のために、同一の前記駆動信号が、前記第１タッチ・センサ領域に隣接する第２タッチ・センサ領域において弱い電界を生成することになる、ステップを含む、方法。
【請求項７】
請求項１記載の方法であって、更に、
同位相である第１信号によって前記複数の駆動電極パッドの内から選択されたものを駆動し、前記第１信号とは異なる位相である第２信号によって前記複数の駆動電極パッドの内から選択された異なるものを駆動するステップであって、これにより、前記タッチ・センサ領域において発生される電界を修正する、ステップを含む、方法。
【請求項８】
請求項７記載の方法であって、更に、
幾らかの同位相の駆動信号および異なる位相の駆動信号を同一のタッチ・センサ領域に送信するステップであって、これにより、前記タッチ・センサ領域内で発生される電界の強度を変化させる、ステップを含む、方法。
【請求項９】
請求項１記載の方法であって、更に、
前記タッチ・センサ領域の各々において単一の検知電極パッドの多数コピーを設けるステップと、
前記タッチ・センサ領域の各々の内部に複数の異なる駆動電極パッドを設けるステップと、
を含む、方法。
【請求項１０】
請求項１記載の方法であって、更に、
前記タッチ領域の各々に複数の異なる駆動電極パッドを設けるが、更に、前記タッチ・センサ領域の内部に配置される前記駆動電極パッドのコピーの数のために、１つの駆動電極パッドが前記複数のタッチ・センサ領域の各々を優位とするように、１つの駆動電極パッドの多数のコピーを設けるステップを含む、方法。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
外科器具（２）用のアイピース装置（２０）であって、該アイピース装置（２０）は、アイピースフレーム（２２）及び該アイピースフレーム（２２）内に収容される少なくとも１つの光学ユニット（２４）を備え、前記光学ユニット（２４）は、少なくとも１つの第１の光学素子（２６）及び該第１の光学素子（２６）に接続される第２の光学素子（２８）を備え、前記第２の光学素子（２８）は、異常分散性を有する第２の材料から製造され、前記第１及び第２の光学素子（２６，２８）が共に、色収差に関して補正される光学ユニット（２４）を形成する、アイピース装置（２０）において、
前記アイピースフレーム（２２）が、前記第２の光学素子（２８）用の膨張チャンバ（３８）を備え、前記膨張チャンバ（３８）が、前記光学ユニット（２４）のために設けられる設置空間を半径方向（Ｒ）に拡張することを特徴とする、アイピース装置（２０）。
【請求項２】
前記アイピースフレーム（２２）内に前記光学ユニット（２４）を収容するために、前記アイピースフレーム（２２）と前記第１の光学素子（２６）との間に少なくとも１つの機械的接続要素（３０）が存在することを特徴とする、請求項１に記載のアイピース装置（２０）。
【請求項３】
前記膨張チャンバ（３８）は、前記第１の光学素子（２６）の領域（Ｂ１）の前記アイピースフレーム（２２）の径に対して、前記第２の光学素子（２８）の領域（Ｂ２）の前記アイピースフレーム（２２）の径を増加させ、膨張チャンバ（３８）として、溝又は凹部が前記アイピースフレーム（２２）内に窪ませられ、前記溝又は前記凹部は更に、前記第２の光学素子（２８）の円周方向において閉鎖されることを特徴とする、請求項１又は２に記載のアイピース装置（２０）。
【請求項４】
前記第２の光学素子（２８）が前記第１の光学素子（２６）より小さな直径を有することを特徴とする、請求項１〜３のいずれか１項に記載のアイピース装置（２０）。
【請求項５】
前記第１の光学素子（２６）を前記アイピースフレーム（２２）内に保持する前記機械的接続要素（３０）が、接着剤で充填される接着穴であることを特徴とする、請求項２に記載のアイピース装置（２０）。
【請求項６】
前記第１の材料が第１の熱膨張係数を有し、前記第２の材料が第２の熱膨張係数を有し、前記第２の熱膨張係数が前記第１の熱膨張係数より大きいことを特徴とする、請求項１〜５のいずれか１項に記載のアイピース装置（２０）。
【請求項７】
前記第１の光学素子（２６）が第１のアッベ数を有する第１の材料から製造され、前記第２の光学素子（２８）が第２のアッベ数を有する第２の材料から製造され、前記第２のアッベ数が前記第１のアッベ数より大きいことを特徴とする、請求項１〜６のいずれか１項に記載のアイピース装置（２０）。
【請求項８】
前記第２の材料はＥＤガラスであることを特徴とする、請求項１〜７のいずれか１項に記載のアイピース装置（２０）。
【請求項９】
前記ＥＤガラスのアッベ数が７５より大きいことを特徴とする、請求項８に記載のアイピース装置（２０）。
【請求項１０】
前記光学素子（２６，２８）がレンズであり、前記光学ユニット（２４）がアクロマート又はアポクロマートであることを特徴とする、請求項１〜９のいずれか１項に記載のアイピース装置（２０）。
【請求項１１】
請求項１〜１０のいずれか１項に記載のアイピース装置（２０）を備えるアイピース（４４）であって、前記光学ユニット（２４）が、アイピース（４４）のアイピースレンズを備えることを特徴とする、アイピース（４４）。
【請求項１２】
請求項１１に記載のアイピース（４４）を備える外科器具（２）。
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
第１主面、第２主面、支持層周辺部、及び第１開口部を有する湿分透過性支持層であって、
前記第２主面は前記支持層周辺部付近でその上に第１接着剤を有する、湿分透過性支持層と、
前記支持層の前記第２主面の少なくとも一部に接着した吸収性接着剤ゲルであって、接着剤ゲル周辺部を備える吸収性接着剤ゲルと、
第１面、第２面、及び多孔性層周辺部を有する多孔性層と、を備え、
前記多孔性層の前記第１面は前記吸収性接着剤ゲルに接着しており、
前記多孔性層は流体が第１開口部へと通過するのを容易にするように構成されており、
前記接着剤ゲル周辺部の１００％が前記支持層と重なりあい、
前記多孔性層周辺部の少なくとも５０％は前記吸収性接着剤ゲルと重なりあっている、創傷ドレッシング。
【請求項２】
前記吸収性接着剤ゲルは第２開口部を更に含む、請求項１に記載の創傷ドレッシング。
【請求項３】
前記吸収性接着剤ゲルが４０重量％未満の水を含む、請求項１又は２に記載の創傷ドレッシング。
【請求項４】
真空ポートを更に備える、請求項１〜３のいずれか一項に記載の創傷ドレッシング。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
心膜組織を処理する方法であって、心嚢の内面に流体圧力を加えることにより前記心嚢に対して張力をかける間に、前記心嚢の少なくとも一部を化学物質と接触させるステップを含む方法。
【請求項２】
前記心嚢に対して、前記内面に前記化学物質を送達することによって張力がかけられる、請求項１に記載の方法。
【請求項３】
前記化学物質が水溶液である、請求項１または２に記載の方法。
【請求項４】
前記化学物質がグルタルアルデヒドを含む、請求項１〜３のいずれか一項に記載の方法。
【請求項５】
前記心嚢の基部を加圧装置のリムに固定するステップをさらに含む、請求項１〜４のいずれか一項に記載の方法。
【請求項６】
前記リムが、前記心嚢の前記基部の直径の±２０％の範囲内の直径を有する、請求項５に記載の方法。
【請求項７】
前記加圧装置が、前記心嚢の前記内面に少なくとも１種の流体を供給するか、または前記心嚢の外面から流体を排出するように適合された少なくとも１つの入口または出口を備える、請求項５または６に記載の方法。
【請求項８】
前記加圧装置が、
側壁および底壁を備える容器であって、前記側壁が容器リムを備える、容器と、
前記容器リムと嵌合して筐体を形成するように適合された蓋リムを有する蓋と、
を備え、
前記心嚢の前記基部が、前記容器リムと前記蓋リムとの間に固定される、請求項５〜７のいずれか一項に記載の方法。
【請求項９】
前記心嚢の少なくとも一部が、少なくとも３０分間、前記化学物質と接触する、請求項１〜８のいずれか一項に記載の方法。
【請求項１０】
前記心嚢の前記内面に加えられる前記流体圧力が、前記化学物質との接触中に変化する、請求項１〜９のいずれか一項に記載の方法。
【請求項１１】
前記内面が、少なくとも０．４気圧の圧力まで加圧される、請求項１〜１０のいずれか一項に記載の方法。
【請求項１２】
前記内面が、３気圧の圧力まで加圧される、請求項１〜１１のいずれか一項に記載の方法。
【請求項１３】
前記内面が、第１化学溶液で処理され、前記心嚢の外面が、前記第１化学溶液とは異なる第２化学溶液で処理される、請求項１〜１２のいずれか一項に記載の方法。
【請求項１４】
前記内面が、前記内面が第１圧力で加圧される間に化学物質で処理され、前記心嚢の外面が、前記内面が前記第１圧力とは異なる第２圧力で加圧される間に化学物質で処理される、請求項１〜１３のいずれか一項に記載の方法。
【請求項１５】
前記内面がパルス状圧力に加圧され、前記パルス状圧力が、１分間当たり１回〜２０回で前記内面に加えられる、請求項１〜１４のいずれか一項に記載の方法。
【請求項１６】
心膜組織を処理する装置であって、
側壁および底壁を備える容器であって、前記側壁が容器リムを備える、容器と、
前記容器リムと嵌合して筐体を形成するように適合された蓋リムを有する蓋と、
を備える装置であり、
前記容器リムと前記蓋リムとの間で心嚢の基部を固定し、前記心嚢の内面を加圧するように適合されていることを特徴とする装置。
【請求項１７】
請求項１〜１５のいずれか一項に記載の処理方法に従って、前記容器リムと前記蓋リムとの間に保持される心嚢を処理するように、前記容器および前記蓋に流体および化学物質を供給するように構成されたコントローラをさらに備える、請求項１６に記載の装置。
【請求項１８】
心膜組織を処理する装置であって、
側壁および底壁を備える容器であって、前記側壁が容器リムを備え、前記容器が少なくとも１つの容器入口または容器出口を有する、容器と、
前記容器リムと嵌合して筐体を形成するように適合された蓋リムを有し、少なくとも１つの蓋入口または蓋出口を備える蓋と、
を備え、
前記容器リムと前記蓋リムとの間で心嚢の基部を固定し、前記心嚢の内面を加圧するように適合されている装置。
【請求項１９】
前記容器リムと前記蓋リムとの間に保持される心嚢を処理するように、前記少なくとも１つの容器入口または容器出口および前記少なくとも１つの蓋入口または蓋出口に流体および化学物質を供給するように構成されたコントローラをさらに備える、請求項１８に記載の装置。
【請求項２０】
前記容器内の圧力を検出するように前記容器および前記蓋のうちの一方に結合された圧力計をさらに備える、請求項１８または１９に記載の装置。
【請求項２１】
心嚢の基部を前記容器リムに封止するように前記容器リムに結合された係止カラーをさらに備える、請求項１８〜２０のいずれか一項に記載の装置。
【請求項２２】
心膜組織を処理する装置であって、
側壁および底壁を備える容器であって、前記側壁が第１容器リムおよび第２容器リムを備え、前記容器が少なくとも１つの容器入口または容器出口を有する、容器と、
前記第１容器リムと嵌合して筐体を形成するように適合された蓋リムを有する蓋であって、少なくとも１つの蓋入口または蓋出口を備える、蓋と、
を備え、
前記第２容器リムと前記蓋リムとの間で心嚢の基部を固定し、前記第１容器リムを通して前記心嚢の内面に化学溶液を送達するように適合されている装置。
【手続補正書】
【提出日】平成30年10月24日(2018.10.24)
【手続補正１】
【補正対象書類名】特許請求の範囲
【補正対象項目名】全文
【補正方法】変更
【補正の内容】
【特許請求の範囲】
【請求項１】
医療デバイスであって、
外科用針と、
前記外科用針に取り付けられた第１の端、及び前記外科用針から離れて配置された第２の端を有する細長い縫合糸であって、前記細長い縫合糸は、メッシュ壁及び前記メッシュ壁を貫いて延在する複数の細孔を含み、前記細孔の少なくともいくつかは、２００ミクロンを超えるマクロポーラスサイズ範囲にあり、体内に導入された際、前記縫合糸の前記メッシュ壁の中を通って組織との一体化を容易にするように適合された、細長い縫合糸と、
前記メッシュ壁に固定された１つ以上のローピング（ｒｏｐｉｎｇ）防止要素であって、前記細長い縫合糸の前記第１の端と前記第２の端との間で軸方向に沿って引張荷重が加えられた際、前記細長い縫合糸の伸長に抵抗する、ローピング防止要素と、
を含む、医療デバイス。
【請求項２】
前記１つ以上のローピング防止要素は、前記細長い縫合糸の前記第１の端と前記第２の端との間で軸方向に沿って引張荷重が加えられた際、前記メッシュ壁がそれ自体の上に潰れることに抵抗し、そうでなければ細孔サイズの減少をもたらす、請求項１に記載の医療デバイス。
【請求項３】
前記１つ以上のローピング防止要素は、前記細長い縫合糸の前記第１の端と前記第２の端との間に延在し、（ａ）１つ以上の点で前記メッシュ壁に固定されているか、または（ｂ）前記メッシュ壁に固定されていないかのいずれかである、１つ以上の縦走繊維を備える、請求項１または２に記載の医療デバイス。
【請求項４】
前記１つ以上のローピング防止要素は、複数の点で前記メッシュ壁に固定され、前記細長い縫合糸の前記第１の端と前記第２の端との間に延在する複数の縦走要素を備え、
前記複数の縦走要素は、選択的に互いに平行であり、かつ互いに等間隔で離間されている、請求項１〜３のいずれか一項に記載の医療デバイス。
【請求項５】
前記細長い縫合糸は、中空管状メッシュ壁を備え、
前記細長い縫合糸は、選択的に、（ａ）約１ｍｍ〜約１０ｍｍ、または（ｂ）約１ｍｍ〜約５ｍｍの範囲の直径を有し、
前記縫合糸の前記直径は、選択的に、前記第１の端と前記第２の端との間の前記縫合糸の実質的全長に沿って均一である、請求項１〜４のいずれか一項に記載の医療デバイス。
【請求項６】
前記細長い縫合糸は、ある幅寸法を有する平面メッシュ壁を備え、
前記細長い縫合糸の前記幅寸法は、選択的に、（ａ）約１ｍｍ〜約１０ｍｍ、または（ｂ）約１ｍｍ〜約５ｍｍの範囲にあり、
前記細長い縫合糸の前記幅寸法は、選択的に、前記第１の端と前記第２の端との間の前記縫合糸の実質的全長に沿って均一である、請求項１〜４のいずれか一項に記載の医療デバイス。
【請求項７】
前記縫合糸の前記メッシュ壁は、前記第１の端と前記第２の端との間の前記縫合糸の全体に沿って延在する、請求項１〜６のいずれか一項に記載の医療デバイス。
【請求項８】
（ａ）２００ミクロン超〜約４ミリメートル、（ｂ）２００ミクロン超〜約２．５ミリメートル、または（ｃ）約１ミリメートル〜約２．５ミリメートルの細孔（複数可）を有する、請求項１〜７のいずれか一項に記載の医療デバイス。
【請求項９】
前記複数の細孔は、細孔サイズが異なる、請求項１〜８のいずれか一項に記載の医療デバイス。
【請求項１０】
前記縫合糸は、ポリエチレンテレフタレート、ナイロン、ポリオレフィン、ポリプロピレン、シルク、ポリマーｐ−ジオキサノン、ｐ−ジオキサノンのコポリマー、ε−カプロラクトン、グリコリド、Ｌ（−）−ラクチド、Ｄ（＋）−ラクチド、メソ−ラクチド、トリメチレンカーボネート、ポリジオキサノンホモポリマー、金属フィラメント、及びこれらの組み合わせからなる群から選択される材料で構成されている、請求項１〜９のいずれか一項に記載の医療デバイス。
【請求項１１】
前記縫合糸は半径方向に変形可能であり、その結果、前記縫合糸は横方向の応力の不在下で第１の断面プロファイルを、及び横方向の応力の存在下で第２の断面プロファイルをとり、
前記第１の断面プロファイルは、選択的に放射対称性を示し、
前記第２の断面プロファイルは、選択的に、部分的または完全に潰れた形態を示す、請求項１〜５及び７〜１０のいずれか一項に記載の医療デバイス。
【請求項１２】
使用中に縫合糸の引き抜けを防止するための前記縫合糸の前記第２の端に取り付けられたアンカーをさらに備え、前記アンカーは、前記縫合糸の直径よりも大きい寸法を有し、
前記アンカーは、選択的に、ループ、球、ディスク、シリンダー、返し、及び／またはフックを含む、請求項１〜１１のいずれか一項に記載の医療デバイス。
【請求項１３】
前記メッシュ壁は、織られたか、または編まれたメッシュ材料を含む、請求項１〜１２のいずれか一項に記載の医療デバイス。
【請求項１４】
前記細長い縫合糸は、約２０ｃｍを超える長さである、請求項１〜１３のいずれか一項に記載の医療デバイス。
【請求項１５】
前記管状メッシュ壁は、中空コアを画定し、
前記中空コアは、選択的に、縫合材料のない中空の円筒形空間を画定し、
前記中空コアは、選択的に、ハニカム構造、３Ｄ格子構造、または１つ以上の内部空隙を画定する他の好適なマトリックスを含む、請求項５及び７〜１４のいずれか一項に記載の医療デバイス。
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
フィブロネクチンＩＩＩ型第１０ドメイン(１０Ｆｎ３)を含むポリペプチドであって、ここで、
(a)該１０Ｆｎ３ドメインは、ＡＢ、ＢＣ、ＣＤ、ＤＥ、ＥＦおよびＦＧループを含んでおり、
(b)該該ＢＣ、ＤＥおよびＦＧループは、下記のアミノ酸配列:
(a) 配列番号：６、７および８の各々；
(b) 配列番号：２１、２２および２３の各々；
(c) 配列番号：３６、３７および３８の各々；
(d) 配列番号：５１、５２および５３の各々；
(e) 配列番号：６６、６７および６８の各々；
(f) 配列番号：８１、８２および８３の各々；または
(g) 配列番号：９７、９８および９９の各々、
を含んでおり、
(c)該ポリペプチドは、１０ｎＭ以下のＫＤにてＰＤ−Ｌ１に特異的に結合する、
ポリペプチド。
【請求項２】
該１０Ｆｎ３ドメインが、配列番号：５、２０、３５、５０、６５、８０および９６からなる群から選択されるアミノ酸配列の非ＢＣ、ＤＥおよびＦＧループ領域と、少なくとも９０％、９５％、９８％、９９％または１００％同一のアミノ酸配列を含む、請求項１に記載のポリペプチド。
【請求項３】
該１０Ｆｎ３ドメインが、配列番号：９−１５、２４−３０、３９−４５、５４−６０、６９−７５、８４−９１および１００−１０７からなる群から選択されるアミノ酸配列の非ＢＣ、ＤＥおよびＦＧループ領域と、少なくとも９０％、９５％、９８％、９９％または１００％同一のアミノ酸配列を含む、請求項２に記載のポリペプチド。
【請求項４】
該ポリペプチドが、ポリエチレングリコール、シアル酸、Ｆｃ、Ｆｃフラグメント、トランスフェリン、血清アルブミン、血清アルブミン結合タンパク質および血清イムノグロブリン結合タンパク質からなる群から選択される１以上の薬物動態的(ＰＫ)部分を含む、請求項１〜３のいずれか１項に記載のポリペプチド。
【請求項５】
請求項１〜４のいずれか１項記載のポリペプチドをコードする、核酸。
【請求項６】
該核酸が、配列番号：１６−１９、３１−３４、４６−４９、６１−６４、７６−７９、９２−９５および１０８−１１１からなる群から選択されるヌクレオチド配列を含む、請求項５記載の核酸。
【請求項７】
請求項５または６記載の核酸を含む、ベクター。
【請求項８】
請求項５または６記載の核酸を含む、細胞。
【請求項９】
請求項１〜４のいずれか１項記載のポリペプチドおよび検出可能な標識を含む、イメージング剤。
【請求項１０】
検出可能な標識が６４Ｃｕ、１２４Ｉ、７６／７７Ｂｒ、８６Ｙ、８９Ｚｒ、６８Ｇａ、１８Ｆ、１１Ｃ、１２５Ｉ、１２４Ｉ、１３１Ｉ、１２３Ｉ、３２Ｃｌ、３３Ｃｌ、３４Ｃｌ、６８Ｇａ、７４Ｂｒ、７５Ｂｒ、７６Ｂｒ、７７Ｂｒ、７８Ｂｒ、８９Ｚｒ、１８６Ｒｅ、１８８Ｒｅ、９０Ｙ、１７７Ｌｕ、９９Ｔｃまたは１５３Ｓｍからなる群から選択される放射性核種である、請求項９記載のイメージング剤。
【請求項１１】
検出可能な標識がＤＦＯ、ＤＯＴＡ、ＣＢ−ＤＯ２Ａ、３ｐ−Ｃ−ＤＥＰＡ、ＴＣＭＣ、ＤＢＣＯ、ＤＩＢＯ、ＢＡＲＡＣ、ＤＩＭＡＣ、Ｏｘｏ−ＤＯ３Ａ、ＴＥ２Ａ、ＣＢ−ＴＥ２Ａ、ＣＢ−ＴＥ１Ａ１Ｐ、ＣＢ−ＴＥ２Ｐ、ＭＭ−ＴＥ２Ａ、ＤＭ−ＴＥ２Ａ、ｄｉａｍｓａｒ、ＮＯＤＡＳＡ、ＮＯＤＡＧＡ、ＮＯＴＡ、ＮＥＴＡ、ＴＡＣＮ−ＴＭ、ＤＴＰＡ、１Ｂ４Ｍ−ＤＴＰＡ、ＣＨＸ−Ａ’’−ＤＴＰＡ、ＴＲＡＰ、ＮＯＰＯ、ＡＡＺＴＡ、ＤＡＴＡ、Ｈ２ｄｅｄｐａ、Ｈ４ｏｃｔａｐａ、Ｈ２ａｚａｐａ、Ｈ５ｄｅｃａｐａ、Ｈ６ｐｈｏｓｐａ、ＨＢＥＤ、ＳＨＢＥＤ、ＢＰＣＡ、ＣＰ２５６、ＰＣＴＡ、ＨＥＨＡ、ＰＥＰＡ、ＥＤＴＡ、ＴＥＴＡおよびＴＲＩＴＡからなる群から選択されるコンジュゲート部分により前記ポリペプチドとコンジュゲートされる、請求項９または１０記載のイメージング剤。
【請求項１２】
該コンジュゲート部分が、ＮＯＤＡＧＡであり、該放射性核種が６４Ｃｕである、請求項１１記載のイメージング剤。
【請求項１３】
ポリペプチド、１８Ｆ−放射性標識された補欠分子族基および二官能性結合(ＢＦＣ)基を含む、請求項１０記載のイメージング剤であって、該イメージング剤が、以下の構造：
【化１】
2018508213.tif 000001
(ここで、(a) １８Ｆは、Ｎ原子に対してオルト位であり、ｘは１〜８、２〜６、３〜５の整数または４であり；
(b) ＢＦＣ基は、(i)タンパク質上のアミン、カルボキシル、カルボニルまたはチオール官能基と共有結合を形成している反応基および(ii)ポリエチレングリコール(ＰＥＧ)ｙスペーサーアーム(ここで、ｙは１〜８、２〜６、または４もしくは５の整数である)を含んでいるシクロオクチンであり；
(c) タンパク質は、請求項１〜４のいずれか１項記載のポリペプチドである)
またはその医薬上許容される塩を有する、イメージング剤。
【請求項１４】
該シクロオクチンが、ジベンゾシクロオクチン(ＤＩＢＯ)、ビアリールアザシクロオクチノン(ＢＡＲＡＣ)、ジメトキシアザシクロオクチン(ＤＩＭＡＣ)およびジベンゾシクロオクチン(ＤＢＣＯ)からなる群から選択される、請求項１３記載のイメージング剤。
【請求項１５】
該ＢＦＣが、ＤＢＣＯ−ＰＥＧ４−ＮＨＳ−エステル、ＤＢＣＯ−スルホ−ＮＨＳ−エステル、ＤＢＣＯ−ＰＥＧ４−酸、ＤＢＣＯ−ＰＥＧ４−アミンまたはＤＢＣＯ−ＰＥＧ４−マレイミドである、請求項１３記載のイメージング剤。
【請求項１６】
該イメージング剤が、下記構造：
【化２】
2018508213.tif 000002
(ここで、Ｘが、配列番号：１３、２８、４３、５８、７３、８８および１０４のいずれか一つのアミノ酸配列を含んでいるポリペプチドであり、ＢＦＣのマレイミド基がポリペプチドのシステイン残基上のチオール基に共有結合している)
を有する、請求項１３記載のイメージング剤。
【請求項１７】
該ポリペプチドが、配列番号：８８または配列番号：１０４に記載のアミノ酸配列を含む、請求項９〜１６いずれか１項に記載のイメージング剤。
【請求項１８】
請求項１〜４いずれか１項に記載のポリペプチドまたは請求項９〜１７いずれか１項に記載のイメージング剤、および許容できる担体、賦形剤または安定剤を含む医薬組成物。
【請求項１９】
対象におけるＰＤ−Ｌ１発現腫瘍の存在の検出に用いるための請求項９〜１７いずれか１項に記載のイメージング剤であって、検出が対象の少なくとも一部分の放射性画像における該イメージング剤の存在または非存在を検出する工程を含み、
ここで、バックグラウンドを超えるイメージング剤の存在および位置がＰＤ−Ｌ１発現腫瘍の存在および位置の指標となる、イメージング剤。
【請求項２０】
対象におけるＰＤ−Ｌ１発現腫瘍に対する抗腫瘍治療の経過のモニタリングに用いるための請求項９〜１７いずれか１項に記載のイメージング剤であって、モニタリングが
(ａ)対象の少なくとも一部分の画像から腫瘍のサイズを検出する工程；
(ｂ)その後、１以上の後続する時点における各時点の対象の少なくとも一部分の画像を得る工程を含み、
ここで、各時点での腫瘍の大きさおよび位置がＰＤ−Ｌ１発現腫瘍に対する抗腫瘍治療の経過の指標となる、イメージング剤。
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
駆動部と選択的に連結可能なチューブが備えられるメイン胴体と、
前記メイン胴体の一側に組み立てられ、内部には、前記チューブと連結可能な内部流路が形成され、前記内部流路の一端には、少なくとも一つ以上のノズルが開口して形成される洗浄胴体とを含み、
前記メイン胴体と前記洗浄胴体が組み立てられると、前記チューブの一端が前記内部流路の一端に連結され、連続した流路を形成することを特徴とする、内部流路が形成された歯洗浄器具。
【請求項２】
前記洗浄胴体と前記メイン胴体には、互いに対応する結合突起と結合チャネルが形成され、前記洗浄胴体が前記メイン胴体に結合される過程で前記結合突起が前記結合チャネルに沿って案内された後、前記結合チャネルの一側に係止して固定されることを特徴とする、請求項１に記載の内部流路が形成された歯洗浄器具。
【請求項３】
前記メイン胴体には、フランジが分離可能に結合され、前記結合チャネルは、前記フランジの内面に凹入して形成されることを特徴とする、請求項２に記載の内部流路が形成された歯洗浄器具。
【請求項４】
前記結合チャネルは、一端が外側に開口した導入部と、前記導入部から前記メイン胴体と洗浄胴体の結合方向に延びる連結部と、前記連結部から直交または傾斜した方向に延びる回転部とを含み、前記回転部の一端には、係止ジョーが突出して形成されることを特徴とする、請求項３に記載の内部流路が形成された歯洗浄器具。
【請求項５】
前記チューブは、前記メイン胴体から分離可能に前記メイン胴体に備えられ、前記内部流路は、前記洗浄胴体に一体に形成されることを特徴とする、請求項１に記載の内部流路が形成された歯洗浄器具。
【請求項６】
前記フランジの内側には、前記メイン胴体の内部に備えられたチューブの一端が位置され、前記洗浄胴体が前記フランジに結合されると、前記洗浄胴体の内部流路の一端と前記チューブの一端が互いに連結されることを特徴とする、請求項３に記載の内部流路が形成された歯洗浄器具。
【請求項７】
前記洗浄胴体に前記フランジが結合され、前記フランジの下部には、チューブガイドが備えられ、前記チューブガイドは、
前記メイン胴体の内面に支持されて固定されるガイドプレートと、
前記ガイドプレートの底面に突出し、前記チューブの一端と結合されるチューブ結合部と、
前記ガイドプレートの上面に突出し、前記フランジの内部に位置され、前記フランジに前記洗浄胴体が結合されると、前記洗浄胴体に少なくとも一部が挿入される流路挿入部とを含んで構成される、請求項１乃至６のいずれか一項に記載の内部流路が形成された歯洗浄器具。
【請求項８】
前記流路挿入部の外面には、防水室が備えられることを特徴とする、請求項７に記載の内部流路が形成された歯洗浄器具。
【請求項９】
前記チューブ結合部は、突出した一端へ行くほど幅が狭くなるように形成され、前記チューブ結合部の外面には、少なくとも一つの結合リブが突出して形成されることを特徴とする、請求項７に記載の内部流路が形成された歯洗浄器具。
【請求項１０】
前記メイン胴体には、光を照射する発光部が備えられ、前記チューブガイドには、回避部が凹入または開口するように形成され、前記発光部から照射される光を通過させるか、または前記発光部が安着されるようにする、請求項７に記載の内部流路が形成された歯洗浄器具。
【請求項１１】
前記洗浄胴体は、
内部に内部流路が形成された連結バーと、
前記連結バーの一端に備えられ、外面には少なくとも一つ以上のノズルが形成される洗浄ヘッドと、
前記連結バーの他端に突出し、外面には結合突起が備えられた結合ボスとを含んで構成される、請求項１に記載の内部流路が形成された歯洗浄器具。
【請求項１２】
前記ノズルは、前記洗浄ヘッドの外周面、洗浄ヘッドの上面または底面の少なくともいずれか一側に多数個が形成されることを特徴とする、請求項１１に記載の内部流路が形成された歯洗浄器具。
【請求項１３】
前記ノズルは、前記洗浄ヘッドの外周面に向かって放射状に形成されることを特徴とする、請求項１１に記載の内部流路が形成された歯洗浄器具。
【請求項１４】
前記洗浄ヘッドには、ブラシが分離可能に結合されることを特徴とする、請求項１１に記載の内部流路が形成された歯洗浄器具。
【請求項１５】
前記駆動部は、前記チューブに洗浄液を供給するか、または前記チューブに負圧を提供し、前記ノズルから液体を吸入することを特徴とする、請求項１に記載の内部流路が形成された歯洗浄器具。
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
モバイルデバイスと車載情報／エンターテインメントシステムとの間の接続を確立することと、
前記モバイルデバイスから通信を受信することであって、前記通信が、前記モバイルデバイスによって受信された第１のモダリティタイプの入力に関連付けられ、前記入力が、タスクを達成することに関連付けられる、受信することと、
前記タスクに関連付けられる１つまたは複数のアクションを実施することと、
前記第１のモダリティタイプとは異なる第２のモダリティタイプの入力を受信することであって、前記第２のモダリティタイプの前記入力が、前記タスクを実施することに関連付けられる、受信することと、
前記タスクを実施するための、前記第２のモダリティタイプの前記入力に関連付けられる１つまたは複数のアクションを実施することと、
前記タスクの実施中に、前記タスクを中断し、異なるタスクに関連付けられる前記車載情報／エンターテインメントシステムの前記第１及び第２のモダリティタイプとは異なる第３のモダリティタイプを介して選択可能なオプションを含むユーザインターフェースを提示することと、
前記第３のモダリティタイプを介して前記オプションの選択を受信することに応答して、前記異なるタスクを実施することと、を含み、
３つの異なるモダリティタイプが、前記モバイルデバイスを介して前記車載情報／エンターテインメントシステムに関与するために使用される、コンピュータ実装方法。
【請求項２】
前記第１のモダリティタイプの前記入力が、音声入力を含む、請求項１に記載のコンピュータ実装方法。
【請求項３】
前記第２のモダリティタイプの前記入力が、前記車載情報／エンターテインメントシステムのコンソールを介して受信されるタッチ入力を含む、請求項２に記載のコンピュータ実装方法。
【請求項４】
前記第２のモダリティタイプの前記入力が、前記車載情報／エンターテインメントシステムのコンソールに関連付けられるジョグダイヤルを介して受信されるジョグダイヤル入力を含む、請求項２に記載のコンピュータ実装方法。
【請求項５】
少なくともいくつかのアクションが、前記第１のモダリティタイプ、あるいは前記第２のモダリティタイプまたは前記第３のモダリティタイプのうちの１つまたは複数を使用して行われ得る、請求項１に記載のコンピュータ実装方法。
【請求項６】
少なくともいくつかのアクションが、前記第１のモダリティタイプ、あるいは前記第２のモダリティタイプまたは前記第３のモダリティタイプのうちの１つまたは複数を使用して行われ得、前記第１のモダリティタイプが、音声入力を含む、請求項１に記載のコンピュータ実装方法。
【請求項７】
前記第１のモダリティタイプ、前記第２のモダリティタイプ、または前記第３のモダリティタイプのうちの少なくとも１つが、前記車載情報／エンターテインメントシステムのコンソールにおいてレンダリングされるオブジェクトのナビゲーションを可能にする、請求項１に記載のコンピュータ実装方法。
【請求項８】
前記第１のモダリティタイプ、前記第２のモダリティタイプ、または前記第３のモダリティタイプのうちの少なくとも１つが、前記車載情報／エンターテインメントシステムのコンソールにおいてレンダリングされるオブジェクトのナビゲーションを可能にし、前記オブジェクトが、タイルを含む、請求項１に記載のコンピュータ実装方法。
【請求項９】
前記第１のモダリティタイプの前記入力が、音声入力を含み、前記第２のモダリティタイプの前記入力が、前記第１のモダリティタイプの前記入力に関連付けられる曖昧さを解消するように構成されている、請求項１に記載のコンピュータ実装方法。
【請求項１０】
前記車載情報／エンターテインメントシステムは、異なるタスクに関連付けられる実行可能なアクションが実行のために使用可能であることをユーザのコンテキストが示すとき、１つの特定のタスクに関連付けられるアクションを中断できるように構成されている、請求項１に記載のコンピュータ実装方法。
【請求項１１】
コンピュータ可読命令を記憶する１つまたは複数のコンピュータ可読記憶媒体であって、前記コンピュータ可読命令は、実行されるとき、請求項１から１０のいずれか一項に記載の方法を含む動作を実施する、１つまたは複数のコンピュータ可読記憶媒体。